(57)【要約】  有限資源、化石燃料資源枯渇に伴う、代替エネルギーの発見に苦慮する課題は、人類が総力を挙げ懸命の努力を続けても、課題解決にはかなりの時間が必要と思考する。  人類社会の維持発展に、消耗原材料は一切必要とせず、クリーンで安全安価な無限の運動エネルギーを供給する無限動力発生装置の発明は、生活環境や、社会環境を改善して機能性を高め充実して、より豊かな人類社会の発展を目指し、地球上は愚か、他の惑星の都市建設も可能にする。  本発明の回転体基礎機能構造は、大、小、二つの固定ギヤ間を、物理的力学原理の回転ギヤ群が、自力回転して無限の動力を生産し、提供するものである。
2008068878.tif 000002
【特許請求の範囲】
【請求項１】
回転構造基礎機能（永久機関）、
大、小、二つの固定ギヤ間を、物理的力学原理の回転ギヤ群が、自力回転して無限の動力を生産し提供する、回転体基礎機能構造（永久機関）。
【請求項２】
起動力（圧縮反発力）
大小固定ギヤに働く回転圧力で、連動する回転ギヤ群の回転運動基礎機能回転圧力で回転ギヤ群に派生する、圧縮反発力（起動力）。
【請求項３】
固定ギヤ、回転ギヤ、直径比率、
固定ギヤ、回転ギヤの直径比率は、回転構造の出力を決定する要因で、
全てのギヤ群も是れに従う、固定ギヤと、回転ギヤの、直径比率。
【請求項４】
センターギヤ、インターギヤ、回転操作入力機能構造。
センターギヤに固定する操作竿の、左又右の推進圧力強弱、又はフレームに内接するインターギヤの左右の作動が、入力操作となる機能構造。
【請求項５】
変速Ｗ入力ギヤ構造、
大小二つの回転ギヤを合体した、変則Ｗ入力ギヤは、回転構造を簡素に
2008068878.tif 000003
【請求項６】
回転出力増減機能、
増幅サイクル出力構造は、回転出力を、サイクル回転構造変則比率に合致して出力を増減する機能構造。［変則比率６：１］図１、図２、参照。
【請求項７】
出力増減調整機能構造。
インターギヤとセンターギヤの回転連動する、回転連動接点間隔を移動して、回転緩急を調整する構造機能の、回転出力調整機能。
【請求項８】
間仕切り壁、増幅サイクル回転出力機能構造。
フレームに内接して、自在回転する間仕切り壁が、自在回転する共通車軸を保持して進行する、増幅サイクル回転ギヤ郡の、出力回転構造基盤となる、間仕切り壁出力回転構造。
【請求項９】
出力伝導シャフト、回転出力伝達構造、
間仕切り壁が、蒐集する増幅サイクル出力エネルギーを、間仕切り壁の中心に固定する出力伝達シャフトが、フレーム外に突出し、回転体が生産提供する、無限の回転出力エネルギーを取出し、伝達提供する伝達構造。
【請求項１０】
オームギヤ、入力出力、回転操作入力機能構造、
オームギヤの回転圧力が、インターギヤに回転連動し、インターギヤを僅少作動する機能が、回転体を始動、停止する、入力操作機能構造。
【請求項１１】
インターギヤ、回転操作入力機能構造、
インターギヤに一回転連動する、オームギヤの回転圧力が、入力回転操作構造となり、回転体を始動、停止をする機能となる、入力操作機能回転構造。
【請求項１２】
センターギヤ、回転操作入力機能構造、
センターギヤに一体固定する、操作棹に働く左右の推力て、センターギヤを僅少作動する回転圧力が、回転体始動、停止の入力操作機能構造。
【発明の詳細な説明】
【技術分野】  現代社会が消費する膨大なエネルギー量は、化石燃料資源の枯渇と大気汚染と謂う、人類の生活環境、自然環境を憂慮する深刻な課題を残す。
人類は化石燃料資源枯渇の危機を目前にして、代替エネルギー発見に懸命の努力を続けるが、未だ、明るい展望は開けてこない。
課題解決に自然環境を保全しつつ、社会生活の利便性や、生活環境を改善する、クリーンで安全、安価な無限の運動エネルギーを生産し提供する必要に迫まられていて、技術向上を願い懸命の努力を重ねるが、未だ改善策は見当らず、代替エネルギーの発見にも至らず、此の課題の解決は人類が抱える実現不可能な、難解な課題と考えられている。
人類社会が一般科学常識とする、エネルギー保存の法則や、熱力学第一法則第二の法則は、永久運動や永久機関の存在を否定して、過去に幾度か永久運動や永久機関の発明に、取り組んだ歴史はあるが成功した事例はなく、今では其の可能性さえ否定し、永久機関は実現不可能と考えている。
況して大小二つの固定ギヤ間を、物理的力学原理で組合した回転ギヤ郡が、全ての、消費原材料は一切必要とせず、自力回転して無限の運動エネルギーを生産し提供する事等、エネルギー保存の法則を否定して在りえない、との理由により特許庁は、前の当該発明の、特許願を拒絶した。
物質や物体を燃焼して得る熱量を、運動エネルギーに変換して利用する現代の、エネルギー概念や、エネルギー保存の法則の誤りを正す、構造簡素で操作は簡単な新技術、無限動力発生装置を発明し特許願を提出する。
当該発明は操作が簡単、自力回転して無限の運動エネルギーを、生産し提供する基本機能は変わらず、都市構造や利便性を改善、全ての産業や交通機関に、無限の運動エネルギーを供給して、人類社会の発展向上に貢献する、機械構造回転体の無限動力発生装置。
【背景技術】  高度に進展する近代社会は留まる処を知らず、是に続く後進国の近代化志向が追随する世界的風潮は、化石燃料資源の枯渇と、大気汚染と云う課題を誘発、此の課題を解決しなければ、人類社会に発展する未来はない。
化石燃料は人類社会維持発展の、原動力であることに疑問の余地はなく、エネルギー保存の法則と資源の枯渇は、両立する事のない解決不可能な課題であり、其の為人類は代替エネルギーの発見に、懸命の努力を続けてはいるが今だ明るい展望は開けず、無限に存在する膨大な太陽光エネルギーには、蒐集する巨大な設備が必要で、原子力燃料には危険が伴う。
クリーンで安全、安価な無限のエネルギーを提供する、機械構造回転体無限動力発生装置「永久機関」を発明、実用化を図り特許願を提出する。
【発明の開示】
回転運動基礎機能。
図１（Ａ）、接続線に添い静止する円に、他方の回転力Ｗ１０が働けば、円の推進力はＷ２０になり、（Ｂ）、回転軸を中心に自在回転する、円に働く回転圧力は、円を回転軸に空転して、回転進行はしない。
図２（Ａ）、二つの円に、回転圧力が無ければ停止を続け稼働しない。
（Ｂ）、二つの円の一方に回転圧力が働けば、二つの円の間隔は縮小し、外方向に押し返す圧縮反発力（起動力）が派生、連動して進行する。
（Ｃ）、双方に働く均等圧力は、起動力が生じるが回転進行はしない。
無限動力出力調整機能、              図３（Ａ正面図、Ｂ側面図）。
インターギヤとセンターギヤ間を、接続回転する増幅サイクル回転構造は、インターギヤに働くオームギヤの回転圧力で、インターギヤを僅少作動する回転圧力が入力機能となり、回転圧力を増減する機能が、回転出力の調整機能となり、接続回転連動するＷ入力ギヤの小ギヤが、増幅ギヤに回転連動して、一体構造の駆動ギヤが、センターギヤに回転連動して、共通車軸の推進力を増減する機能が、回転体が生産する出力を、増減する機能となる、増幅サイクル回転構造、無限動力出力調整機能。
増幅サイクル回転構造機能原理、［固定ギヤ・回転ギヤ、直径比率］。
固定インターギヤ、センターギヤの直径比率を［６：１］に設定する。
固定ギヤ直径比率は、回転ギヤ郡出力構造要因で、大小回転ギヤ［直径比率３：１］を合体する、Ｗ入力ギヤは、大のギヤがインターギヤに接続回転連動し、小のギヤが増幅ギヤに回転連動し、一体とるなる共通車軸と駆動ギヤが、センターギヤに回転連動して、共通車軸進行距離を１／６に減少する機能が、共通車軸の推進力を６倍にするから、Ｗ入力ギヤの回転力が増大して増幅ギヤに回転連動し、再び共通車軸の推進力を増大する、増幅運動を反復繰り返し、無限に運動エネルギーを生産する、増幅回転運動は停止する事なく、消耗する原材料や其の他、全てのエネルギーは、一切必要とせず自力回転して、無限の運動エネルギーを生産提供する、増幅サイクル回転構造機能原理。
間仕切壁、回転出力伝導構造。
本体フレームに、内接公転する間仕切り壁を貫通し、自在回転して進行する共通車軸に、Ｗ入力ギヤの大のギヤが、自在回転してインターギヤに内接して回転連動、小のギヤが増幅ギヤに回転連動し、増幅ギヤは共通車軸で連結する駆動ギヤが、センターギヤに回転連動して、共通車軸の推進力を増幅増大する、増幅サイクル回転構造の基本構造は、間仕切り壁が増幅サイクル回転構造を保持、出力増減の基礎構造となり、生産する無限のエネルギーを、間仕切り壁の中央に固定する動力伝導シャフトが、側壁の中央を貫通してフレーム外に突出し、生産する運動エネルギーを取出し提供する、間仕切り壁出力伝導構造。
変速Ｗ入力ギヤ、                                （図３）、参照。
大小、二つの回転ギヤを合体した、変速Ｗ入力ギヤ［変速比率３対１］は、共通車軸に自在回転して、大のギヤがインターギヤに回転連動し、小のギヤが増幅ギヤに回転連動して、増幅ギヤと駆動ギヤは共通車軸で連結して一体構造になり、側壁の中心に固定するセンターギヤに、駆動ギヤが回転連動して一体固定の共通車軸が、推進力を増幅増大するから、インターギヤに接続回転する、大小の回転ギヤを合体した、変速Ｗ入力ギヤは、増幅サイクル回転構造を簡素にして、出力を増大する機能回転構造。
インターギヤ、センターギヤー入力構造。  （図４、図５、参照）。
インターギヤに回転連動する、オームギヤの回転圧力か、又はセンターギヤに、一体固定する操作棹に働く、左、右の推力で、インターギヤと、センターギヤの回転作動間隔を縮小する機能が、回展運動の始動停止の入力回転圧力となる。
大小ギヤが合体する、Ｗ入力ギヤは共通車軸に空転し、大のギヤがインターキヤに接続回転し、小のギヤが増幅ギヤに回転連動して増幅サイクル回転構造となり、インターギヤセンターギヤを僅少作動する回転圧力が入力機能となり、インターギヤに連動するＷ入力ギヤと、センターギヤに接続回転連動する駆動ギヤは、共通車軸を中心に増幅サイクル回転構造を形成し、双方の回転圧力で作動して、無限の運動エネルギーを生産提供する、インターギヤ、センターギヤ入力構造。
円基本回転（図．１）Ａ、Ｂ・起動力（図２、Ａ．Ｂ．Ｃ．）。
（Ａ）、同一線上の二つの円は、他方向から働く推力が無ければ静止し、（Ｂ）、他方向から働く回転圧力で、連結材は圧縮され外方向に押し返す、反作用圧縮反発力は、物理的力学構造原理で、二つの円の回転圧力で圧縮反発力も継続し、（Ｃ）、回転圧力と反発力が等しいと回転はしない。
二つの円に他方向から働く回転圧力で、連結材が外方向に押し返す反発力は、（Ａ）の圧縮反発力と同一原理に因るもので、無限動力発生の基礎機能、圧縮反発力（起動力）となり、二つの円の直径が同一で回転圧力が同一なら、力の均衡は維持されて、回転運動は停止し、静止する。
増幅サイクル回転構造（永久機関）、    （直径比率３：１、図３）。
大小二つの回転ギヤが合体する、変速Ｗ入力ギヤの、大ギヤの回転圧力で、小ギヤの回転力は３，に増幅増大、増幅ギヤに回転連動し共通車軸に連結して、一体構造の駆動ギヤ（直径比率３：１）が、センターギヤに回転連動し、二つの変速構造で、共通車軸の進行力は９倍に増幅する直径比率に従う、回転構造機能の、増幅サイクル回転構造になる。
当実施例の増幅サイクル回転構造（変速比率６：１）では、Ｗ入力ギヤ＞増幅ギヤ＞駆動ギヤに回転連動、共通車軸の推進力を９倍に増幅する、増幅サイクル回転構造は、オームギヤの回転圧力を解除しなければ、圧縮反発力［起動力］も継続して働く回転構造（永久機関）となる。
圧縮反発力は増幅サイクル回転運動の起動力となり、オームギヤの回転圧力の増減が、回転運動の入出力増減機能となるから、出力調整を図りつつ、回転運動を継続する、サイクル回転構造基礎推進力となり、共通車軸に
に空転して、固定インターギヤに接続、回転する変速Ｗ入力ギヤは、共通車軸の推進力に押されて回転進行、変速Ｗ入力ギヤの小ギヤが、回転力を３倍にして増幅ギヤに回転連動し、増幅ギヤと共通車軸で一体構造となる駆動ギヤが、固定センターギヤに接続回転連動する、増幅サイクル回転構造となり、共通車軸の推進力は９倍に増幅するから、増幅した推進力で再び変速Ｗ入力ギヤの回転力が増幅増大して、増幅ギヤに回転連動する圧力が、増幅サイクル回転運動の推進回転圧力になり、無限に回転運動を継続するサイクル回転構造は、休む事なく回転運動を続け、無限の運動エネルギーを提供する永久機関基礎推進力、回転構造圧縮反発力［起動力］。
【図面の簡単な説明】  （大小固定ギヤ、直径比率、６：１）。
（図１．Ａ．Ｂ．）円回転運動基本機能。
（図２．Ａ．Ｂ．Ｃ．）円回転運動連動構造基本機能。
（図３・Ａ．Ｂ．）増幅サイクル回転運動連動機能構造略図。
（図４．Ａ）、無限動力、他軸ギヤ構造、増幅サイクル構造、正面図。
（図４．Ｂ）、無限動力、他軸ギヤ構造、増幅サイクル構造、側面図。
（図５．Ａ）、無限動力、同軸ギヤ構造、増幅サイクル構造、正面図。
（図５．Ｂ）、無限動力、同軸ギヤ構造、増幅サイクル構造、側面図。
【符号の説明】
１、インターギヤ（固定ギヤ）、  ３、センターギヤ（側壁固定ギヤ）
５、変速Ｗ入力ギヤ、            ６、駆動ギヤ、
７、フレーム、                  ８、共通車軸、
１１、増幅ギヤ、                １３、間仕切壁、
２３、動力伝達ギヤ、            ２４、動力伝達シャフト、
２９、センターギヤ操作竿、      ３０、センターギヤ操作指示シャフ
３１、側壁、                    ３２、接続ギヤ、
３３、オームギヤ回転シャフト、  ３４、Ｔ．オームギヤ、
３５、Ｍ．オームギヤ、          ３６、オームギヤ本体フレーム、
３７、オームギヤ回転指示機能、  ４１、構造基盤、
増幅サイクル回転構造基礎機能。
（図１）円基本機能Ａ、Ｂ、
Ａ、円に働く回転圧力で、円は進行する。
Ｂ、回転軸を中心に稼働する円は、回転圧力で回転する。
（図２）円回転運動基礎機能。
Ａ、静止する二つの円は、回転圧力が働かねば、稼働しない。
Ｂ、静止する二つの円に、一方の円に回転圧力が働けば、二つの円の間隔は圧縮されて押し返す、圧縮反発力（起動力）が派生する。
Ｃ、二つの円に働く、双方の同一回転圧力は、圧縮反発力（起動力）は派生するが相殺され、停止を続けて回転運動はしない。
（図３）増幅サイクル基礎機能。
本体フレームに内接し僅少作動する変速Ｗ入力ギヤ［変速比率３：１］の大のギヤが、インターギヤに接続回転し、小のギヤが他方の共通車軸で機能する、増幅ギヤに回転連動するから、共通車軸の推進力を増大して、変速Ｗ入力ギヤの回転力は増大し、増幅ギヤに回転連動して、再び共通車軸の推進力を増幅する、増幅運動を反復繰り返し、無限の運動エネルギーを生産し提供する、増幅サイクル回転構造基礎機能。
図面の仔細な説明
無限動力発生回転構造、操作指示構造。
円筒型フレーム３０に、両側壁３１を一体固定して密閉体を構築し、フレーム３０に内接作動するインターギヤ１は、オームギヤ３４の回転圧力が、連動するインターギヤ１の入力回転圧力となり、無限動力回転構造を始動する回転圧力が、回転操作指示機能となり、回転始動、強弱回転、回転休止、停止、等の、回転運動を操作する、回転操作指示構造。
大小固定ギヤ、回転ギヤ、変速機能構造直径比率。
フレーム３０に、内接するインターギヤ１と、両側壁３１に、インターギヤ１と、中心点を統一したセンターギヤ３を、其々僅少作動する固定構造とし、インターギヤ１とセンターギヤ３の、直径比率６：１、［当実施例］に設定、インターギヤ１に回転連動する、大小二つの回転ギヤを合体した、変速Ｗ入力ギヤ５と、共通車軸８に一体固定する増幅ギヤ５と、駆動ギヤ６［変速比率３：１］の、二つの変速ギヤ構造が回転連動する、変速ギヤ構造回転体となり、固定する大小のインターギヤ１と、センターギヤ３の［直径比率６：１］は、増幅サイクル回転ギヤ郡の、直径をも決定する構造基礎条件となる、変速構造回転ギヤ郡直径比率。
変速Ｗ入力ギヤ、回転構造。
オームギヤ３４が、回転連動するインターギヤ１と、両側壁３１に固定する同心円のセンターギヤ３を、一体固定して回転構造にする、基本構造は変わらず、入力ギヤ５に小ギヤを合体した、変速構造Ｗ入力ギヤ５に、
小ギヤを合体した変速構造Ｗ入力ギヤ５の、変速比率［３：１］は共通車軸８に自在回転し、小ギヤが他方の共通車軸８に固定する増幅ギヤ１１に回転連動、増幅ギヤ１１と共通車軸８が連結する、変速構造駆動ギヤ６［変速比率３：１］が、センターギヤ３に回転連動し、二つの変速ギヤが連動して回転し、回転力を増幅増大する機能は、回転体の回転圧力を増大して、共通車軸８の推進力を９倍に増幅する回転運動は、休む事なく無限に回転運動を継続して、エネルギーの生産構造、増幅サイクル回転構造。構造の主力機能となる、変速Ｗ入力ギヤ働きは人類社会の都市構造や、経済活動を根底から改革する増幅サイクル回転構造、変速Ｗ入力ギヤ。
出力伝導機能構造、                        （動力伝導シャフト）。
増幅サイクル回転構造ギヤ郡と、共通車軸を保持して回転体を構築する構成母体となり、共に回転進行する間仕切り壁１３の中心に、増幅エネルギー出力伝導シャフト２４に、動力伝導ギヤ２３を一体固定して、増幅サイクル回転構造体が生産する、無限のエネルギーを取出し提供する、間仕切り壁出力伝導シャフト、回転出力伝導機能構造。
増幅サイクル回転構造、      ［変速比率６：１、図３．Ａ，Ｂ］。
インターギヤ１に働く回転圧力は、Ｗ入力ギヤ５が共通車軸８に自在回転して、他方の共通車軸８に一体固定する、増幅ギヤ５に、Ｗ入力小ギヤが回転連動して、増幅サイクル回転構造［永久機関］となり、変速ギヤ構造［変速比率６；１］は、Ｗ入力ギヤ５の回転運動量３は、増幅ギヤ１１の回転力を３にして、共通車軸の推進力を９にする。
インターギヤ１に接続回転進行するＷ入力ギヤ５は、駆動ギヤ６に一体となる、共通車軸８の推進力が９であれば、Ｗ入力ギヤ５の回転運動量は増幅増大して、Ｗ入力ギヤ５と増幅ギヤ１１、及び駆動ギヤ６に回転連動して、無限動力生産の、増幅サイクル構造となる。
サイクル構造の共通車軸８に空転する、Ｗ入力ギヤ５と増幅ギヤ１１、駆動ギヤ６をＡグループとし、他方の共通車軸８のＷ入力ギヤ５と、増幅ギヤ１１、駆動ギヤ６をＢグループに構成して、同じ回転運動量ＡのＷ入力ギヤ５と、Ｂの増幅ギヤ１１を接続回転連動し、又ＢのＷ入力ギヤ５とＡ増幅ギヤ１１を其々回転連動すれば、６：１の変速ギヤ増幅サイクル回転構造となり、共通車軸８の推進力を増幅増大するから、Ｗ入力ギヤ５の回転圧力は再び増幅増大する、増幅サイクル回転機能構造となる。
共通車軸８の、推進力が６であれば、Ａ、Ｗ入力キヤ５の回転力３が、増幅ギヤ１１に回転連動して滑車の原理が働き、共通車軸８の推進力は、（６×３）１８に増幅増大するから、Ｗ入力ギヤ５の回転力は（１８÷２）９に増幅して、増幅ギヤ１１に回転連動する増幅機能で、共通車軸８の推進力（９×３）２７に増幅する、増幅運動を反復繰り返し回転体の出力を増幅増大して、無限のエネルギーを生産提供する回転構造になる。
無限のエネルギーを生産し、提供する回転構造は、固定インターギヤ１と、固定センターギヤ３の直径比率、及び増幅サイクル回転構造の、増幅ギヤ１１と、駆動ギヤ６の直径比率が、増幅サイクル回転構造の出力を決定する機能要因で、共に同一の直径比率が要求されるから、インターギヤ１と、センターギヤ３の接続接点間隔を、調整操作して、運動エネルギー出力増減を指示する、調整操作指示機能となる。
インターギヤに働く回転圧力、又はセンターギヤの操作棹に働く推力の、入力機能回転圧力を停止しなければ、無限に回転運動を続け、停止する事なく、運動エネルギーを生産する、無限動力増幅サイクル回転構造。
【図１】
2008068878.tif 000004
【図２】
2008068878.tif 000005
【図３】
2008068878.tif 000006
【図４】
2008068878.tif 000007
【図５】
2008068878.tif 000008
【手続補正書】
【提出日】平成20年4月4日(2008.4.4)
【手続補正１】
【補正対象書類名】特許請求の範囲
【補正対象項目名】全文
【補正方法】変更
【補正の内容】
【特許請求の範囲】
【請求項１】
回転構造基礎機能（永久機関）、
大、小、二つの固定ギヤ間を、物理的力学原理の回転構造ギヤ郡が、自力回転して、無限の運動エネルギ−を生産し提供する、回転構造基礎機能（永久機関）。
【請求項２】
起動力、（圧縮反発力）
大小固定ギヤに働く回転圧力で、連動する回転ギヤ郡の回転運動基礎機能、回転圧力で回転ギヤ郡に派生する、圧縮反発力（起動力）。
【請求項３】
固定ギヤ、回転ギヤ、直径比率。
固定ギヤ、回転ギヤの直径比率は、回転構造の出力を決定する要因で、全ての回転ギヤ郡も是に従う、固定ギヤと、回転ギヤの、直径比率。
【請求項４】
センタ−ギヤ、インタ−ギヤ、回転操作入力機能。
センタ−ギヤに固定する操作竿の、左又は右の回転圧力の強弱、又はフレ−ムに内接するインタ−ギヤの、左右の作動が、入力機能となる回転構造基礎機能。
【請求項５】
変速Ｗ入力ギヤ回転構造。
大小二つの回転ギヤを合体した、変速Ｗ入力ギヤは、
2008068878.tif 000009
、変速Ｗ入力ギヤ回転構造。
【請求項６】
回転出力増減機能。
増幅サイクル出力構造は、回転出力を、サイクル回転構造変速比率に合致して、出力を増減する機能構造。
［変速比率６：１］図１、図２、参照。
【請求項７】
出力増減調整機能構造。
インタ−ギヤとセンタ−ギヤの回転連動する、回転連動接点間隔を移動して、回転緩急を調整する構造機能の、回転出力調整機能。
【請求項８】
間仕切り壁、増幅サイクル回転出力機能構造。
フレ−ムに内接して、自在回転する間仕切り壁が、自在回転する共通車軸を保持して進行する、増幅サイクル回転ギヤ郡の、出力回転構造基盤となる、間仕切り壁出力回転構造。
【請求項９】
出力伝導シャフト、回転出力伝達構造。
間仕切り壁が、蒐集する増幅サイクル出力エネルギ−を、間仕切り壁の中心に固定する出力伝達シャフトが、フレ−ム外に突出し、回転体が生産提供する、無限の回転出力エネルギ−を取出し、提供する伝達構造。
【請求項１０】
オ−ムギヤ、入力出力、回転操作入力機能構造。
オ−ムギヤの回転圧力が、インタ−ギヤに回転連動し、インタ−ギヤを僅少作動する機能が、回転体を始動、停止する、入力操作機能構造。
【請求項１１】
インタ−ギヤ、回転操作入力機能構造。
インタ−ギヤに回転連動する、オ−ムギヤの回転圧力が入力回転操作機能となり、回転体を始動、停止をする機能となる、入力操作機能構造。
【請求項１２】
センターギヤ、回転操作入力機能構造。
センターギヤに一体固定する、操作棹に働く左右の推力て、センターギヤを僅少作動する回転圧力が、回転体の始動、停止の入力操作機能構造。
【請求項１３】
増幅サイクル回転構造。
インターギヤに接続して回転し、共通車軸に押され、回転連動する入力ギヤの回転圧力は、増幅サイクル機能で、共通車軸の推進力を増幅増大し、再び入力ギヤの回転力を増大して、増幅ギヤに回転連動し、共通車軸の推進力を増大する，増幅運動を反復繰り返し、無限の運動エネルギ−を生産し提供する、機械構造回転体、増幅サイクル回転構造。